(57)【特許請求の範囲】
【請求項１】
ガスにより駆動されて高速で発生手段を打撃すべく運動する打撃手段（２）を用い、該発生手段は機械的衝撃波（３）を発生し、該機械的衝撃波が機械的衝撃波移送手段（４）を介して直接・間接に機械的衝撃波移送手段（４）と接触する分解されるべき対象に伝達される単一ブロー機械的衝撃波発生装置（１）であって、各機械的衝撃波形成前に打撃手段（２）が高圧ガスの膨張によって動かされ、ガス膨張手段（７）と供給手段（２５、２６、３０、４２、５６、６２）およびシール手段（１９、３７、４６、６０、７０、７４、８０）とにより該ガスが別個の非常に高圧下にあるガス貯蔵器（６）から高圧ガスに供給された蓄積手段（５）に導入され、蓄積手段（５）中に貯蔵されたガスは制御手段（８）の手動操作により解放され、該制御手段は、まずシール手段（５８）により貯蔵器（６）と膨張手段（７）間の相互連結を気密にするとともに、蓄積手段（５）との連結を気密にし、ついで蓄積手段（５）と打撃手段（２）との間の相互連通が確立され、打撃手段（２）の初期状態への復帰は機械的エネルギー蓄積手段（７３、９６）による蓄積エネルギーの解放により実現され、機械的衝撃波発生サイクル中に制御手段（８）の初期状態への復帰は膨張手段（７）とガス供給手段（２５、２６、３０、４２）内に残留する高ガス圧力により実現されることを特徴とする機械的衝撃波発生装置。
【請求項２】
使用されるガスは別個のガス貯蔵器を構成する加圧ガスシリンダーから得られ、該ガス貯蔵器はパイプを介して単一ブロー機械的衝撃波発生装置（１）に連結され、ガス貯蔵器は膨張手段を構成する圧力安全弁により、ガスを高圧から作動圧力に低減することを特徴とする請求項１に記載の装置。
【請求項３】
使用するガスは別個のガス貯蔵器（６）を構成するガスマイクロ容器（９）内に貯蔵され、該ガス貯蔵器はクレードル手段（１５）により単一ブロー機械的衝撃波発生装置に対して直接に一体とされ、該クレードルは２個の半クレードルから構成され、前半クレードル（１６）はガス移送手段である中央筒状孔（２５）を有する穿孔装置（２０）を含む目盛付容器（１８）を具えた底部を有しており、前記後半クレードルは、支持装置（２２）を有し、前記穿孔装置（２０）に向けて滑動するために構成され、並びに、前記穿孔装置（２０）は第１のダクト（２６）を経てガス膨張手段（７）を構成する一体の膨張装置（２７）と連通することを特徴とする請求項１、２に記載の装置。
【請求項４】
膨張装置が第１のダクト（２６）が連通する第１の房室（２８）を有しており、該房室からは第２のダクト（３０）が始まり、その中を弁シャンク（３１）が自由に滑動し、第１の房室（２８）中に位置する該弁シャンクのヘッド（３２）が第１のバネ（３３）により押し戻され、弁シャンク（３１）の自由端が第１の筒状ピストン（３５）により励動され、該ピストンは弁シャンク（３１）のための押圧体として機能し、第１のピストン（３５）が第２の房室（３６）内で滑動し、該房室がピストン（３５）のための押圧体として使われる第２のバネ（４１）のガイドとして機能することを特徴とする請求項１、３に記載の装置。
【請求項５】
制御手段（８）が第３の房室（４３）により構成され、該房室中には第２のダクト（３０）からの第３のダクト（４２）が連通するとともに第２のピストン（４５）が滑動し、第２のピストン（４５）は第１の押圧体（４９）を有しており、軸承レバー手段（５１）により該押圧体はピストンを第３の房室（４３）中に押圧し、第２のピストン（４５）は開口端（５５）を具えた制御ロッド（５４）を有していてかつ第４のダクト（５６）内を貫通し、該ダクトは循環シリンダー中に形成された溝中に配置されたＯ−リングからなるタイプである第２のタイプの第３のシール装置（５８）を有しており、該シール装置は第５のダクト（６２）の上流の第４のダクト（５６）を閉鎖し、第２のピストン（４５）が第３の房室（４３）中に押し込められたときに前記第２のタイプの第３のシール装置（５８）が第４のダクト（５６）に導かれ、ついで第２の孔（５９）に係合する自由端（５５）が上記の孔の底部（６１）と当接することを特徴とする請求項１、４に記載の装置。
【請求項６】
蓄積手段（５）が第５のダクト（６２）が連通する第４の房室（６４）により構成され、該ダクトは筒状弁本体（６６）から構成された排出弁（６５）を有しており、該弁は第６のダクト（７５）と中空の弁ヘッド（７）と弁本体ベース（６８）から構成され、該弁本体ベースは第５の房室（７２）に連通する第３の孔（６９）内を滑動し、弁ヘッド（６７）は第１の渦巻きバネ（７３）によりシールを維持し、該バネは機械的なエネルギー蓄積手段を構成し、弁ヘッド（６７）は自由端（７７）を具えた第２の押圧体（７６）を有しており、該自由端は第４の孔（７９）内で滑動し、第２の孔（５９）の底部内に連なり、第２の押圧体（７６）の自由端（７７）が底部（６１）に当接したときに第２の押圧体（７６）の自由端（７７）は制御ロッド（５４）の自由端（５５）により押し戻され、第２の押圧体（７６）は、第１の渦巻きバネ（７３）を圧縮して第６のダクト（７５）の開口部を解放することにより、弁ヘッド（６７）を押し戻し、これにより第４の房室（６４）を第５の房室（７２）と相互連通させることを特徴とする請求項１、５に記載の装置。
【請求項７】
打撃手段が第６のダクト（７５）が連通する第５の房室（７２）により構成されてかつ第６の房室（８４）に連通する第５の孔（８３）と相互連通し、該第５の孔８３は第６の房室（８４）に連通する第５の孔の他の部分の直径よりも若干大きな直径を有する減圧領域（８５）を有しており、該領域からは直接にまたは逆止弁（８８）を介して外気に開口する少なくとも１個の第７のダクト（８７）が始まり、第５の孔（８３）はガイドとして機能し、打撃ハンマー（９２）のための駆動装置がハンマー本体（９３）と第５の孔（８３）中を滑動する第３のピストン（９４）と自由端（１０７）を具えた打撃ヘッド（９５）と機械的エネルギー蓄積手段を構成する第２の渦巻きバネ（９６）とから構成され、ハンマー本体（９３）を押圧して第３のピストン（９４）を第５の孔（８３）内に圧入維持することを特徴とする請求項１、６に記載の装置。
【請求項８】
機械的衝撃波発生手段（３）がインターフェイス装置本体（１０３）を有した機械的衝撃波発生インターフェイス装置（１０２）から構成され、該インターフェイス装置本体は第６の孔（９１）を経て第６の房室（８４）と相互連通する第７の房室（９０）内を滑動し、インターフェイス装置本体（１０３）は第６の孔（９１）を貫通する打撃アンビル（１０５）を有しており、自由端（１０６）は第６の房室（８４）内に位置し、自由端（１１９）を具えた第１の機械的衝撃波移送装置（１０９）は第７の孔（９９）を貫通し、該孔は第７の房室と第８の房室（１０１）に相互連通し、該房室内には第１の機械的衝撃波移送装置（１０９）の自由端（１１９）が位置しており、該移送装置は第３の渦巻きバネ（１１０）により機械的衝撃波ガイドヘッド（１１５）の後面（１１６）と接触状態に維持されることを特徴とする請求項１、７に記載の装置。
【請求項９】
機械的衝撃波移送手段（４）が第２の機械的衝撃波ガイド装置（１１４）から構成され、該ガイド装置は第８の房室（１０１）内に位置する機械的衝撃波ガイドヘッド（１１５）から構成されており、そこからは機械的衝撃波ガイドロッド（１１８）が延在しており、該ガイドロッドは第８の孔（１１３）を貫通しており、該孔は機械的衝撃波ガイドヘッド（１１５）のガイドとして機能しかつ外部に開口していることを特徴とする請求項１、８に記載の装置。
【請求項１０】
高圧下に第２のダクト（３０）を通って導入されたガスは第３のダクト（４２）についで第３の房室（４３）に流れ込み、第３の房室（４３）内に押し込まれているならば第２のピストン（４５）を押し戻し、それは循環シリンダー中に形成された溝中に配置されたＯ−リングからなるタイプである第２のタイプの第３のシール装置（５８）を第４のダクト（５６）から解放し、該ダクトはガスを第５のダクト（６２）に流れ込ませて第４の房室（６４）に高圧ガスを充填し、第１の渦巻きバネ（７３）により働く圧力により、第４の房室（６４）内が正常圧力に達するまで、弁ヘッド（６７）がシールを維持し、これで単一ブロー機械的衝撃波発生装置（１）が作動準備が整うことを特徴とする請求項１、４〜６に記載の装置。
【請求項１１】
機械的衝撃波の発生がレバー（５１）の作動により始まり、該レバーは第１の押圧体（４９）を押し込み、該押圧体は第２のピストン（４５）を第３の房室（４３）中に押し戻し、第２のタイプの第３のシール装置（５８）が第４のダクト（５６）中に貫通してそれを閉鎖するまで制御ロッド（５４）は第３の房室（４３）内で動き、ついで第１の押圧体（４９）が押込みを続けると、第２の押圧体（７６）の自由端（７７）を押込むまで、制御ロッド（５４）の自由端（５５）が第２の孔（５９）内に貫通し、これにより弁ヘッド（６７）の分離と第１の渦巻きバネ（７３）の圧縮を起こし、ついでガスは第６のダクト（７５）内に流れ込んで第５の房室（７２）を貫通し、これにより第３のピストン（９４）を激しく押し戻して第２の渦巻きバネ（９６）を圧縮し、ついで打撃ヘッド（９５）がインターフェイス装置（１０２）の打撃アンビル（１０５）を打撃し、該インターフェイス装置が機械的衝撃波を発生し、この機械的衝撃波はそれ自身連続的にインターフェイス装置本体（１０３）内に広がり、第１の機械的衝撃波移送装置（１０９）を通り、機械的衝撃波ガイドヘッド（１１５）に伝達され、ついで機械的衝撃波ガイドロッド（１１８）を通って分解されるべき対象を打撃するまでそれ自身広がることを特徴とする請求項１、５〜９に記載の装置。
【請求項１２】
第３のピストン（９４）の動きの終りにおいて、減圧領域（８５）が徐々に露出されてガスは第６の房室（８４）内に逃げ込み、第７のダクト（８７）により外部に排出され、循環シリンダー中に形成された溝中に配置されたＯ−リングからなるタイプである第２のタイプの第３のシール装置（５８）は第４のダクト（５６）を閉鎖して、第３のシール装置（５８）の下流側の圧力が、大気圧と実質的に等しくなり、ついで第２の渦巻きバネ（９６）が打撃ハンマー（９２）を押し戻し、その第３のピストン（９４）が第４の孔（８３）中に貫通することを特徴とする請求項７、１０、１１に記載の装置。
【請求項１３】
レバー（５１）が解放されるやいなや、第３の房室（４３）内にある高ガス圧力により第２のピストン（４５）が押し戻されて第２の押圧体（７６）が解放され、排出弁（６５）が解放されて第１の渦巻きバネ（７３）により押し戻されて初期のシールを回復し、第４のダクト（５６）が解放され、高圧ガスが第４の房室（６４）を再び充填して他の機械的衝撃波の形成に備えることを特徴とする請求項１０〜１２に記載の装置。
【請求項１４】
使用されるガスが非常に高圧の下に貯蔵された約７０バールの炭酸ガスであり、
第４の房室（６４）中の高圧が１５〜３０バールであり、第４の房室（６４）の容積が１〜３ｃｍ3であり、打撃ハンマー（９２）の重量が１０ｇであることを特徴とする請求項１〜１３の１以上に記載の装置。
【発明の詳細な説明】
【技術分野】
【０００１】
この発明は単一ブロー機械的衝撃波発生装置とその実施プロセスに関するものである。
【背景技術】
【０００２】
機械的衝撃波発生装置は尿道結石の分解のために泌尿器外科において多用されている。従来技術には２通りの主たるタイプの機械的衝撃波発生装置があり、第１のタイプは体外機械的衝撃波発生装置であり、第２のタイプは経皮機械的衝撃波発生装置である。
【０００３】
第１のタイプの分解装置は電気的または圧電気的な機械的衝撃波発生器を使っており、機械的衝撃波ガイドが流体を含んだポケットを有しており、これが患者の身体に接触しかつ楕円形のリフレクターと協働する。
【０００４】
最初にリフレクターが広い空間に拡散された機械的衝撃波を受け取り、ついで広く開いたコーンを通して機械的衝撃波を集中させる。該コーンの先端が分解されるべき尿道結石内に配置される。これにより低振幅の機械的衝撃波が生体の組織を横断して組織への傷害をできるだけ少なくし、かつコーンの先端に集中したときに最大の振幅となる。
【０００５】
第２のタイプの分解装置は例えば特殊な内視鏡を使っており、除かれるべき尿道結石のサイズと位置とに応じて、これが実施されるべき介入処置の性質に合致するようになっている。
【０００６】
結石が腎臓内にある場合には、内視鏡は経皮的に直接腎臓中に導入される。結石が尿管内にある場合には、嚢を経て尿道により尿管に内視鏡を導入するのが望ましい。機械的衝撃波は導波器により移送されるが、該導波器は円形断面の金属製ロッドであって、１０／１０〜２０／１０ｍｍの直径であって、弾性変形可能なものである。
【０００７】
機械的衝撃波ガイドの第１の端部は機械的衝撃波を発生し、第２の端部は結石に適用される。
【０００８】
第１のタイプの分解装置は、横断する組織への傷害の危険故に、高振幅の機械的衝撃波を使用できない。その結果、結石の分解に際して結石を小片にして尿道を通って除くには数回の衝撃を行なうことが必要である。
【０００９】
ヨーロッパ特許第ＥＰ０３１７５０７号に開示された従来技術の第２のタイプの分解装置は低振幅機械的衝撃波を使用しており、分解されるべき結石を数個の小片に破壊して、これらを吸引、洗浄または尿道を経て除去する。
【特許文献１】ヨーロッパ特許第ＥＰ０３１７５０７号
【００１０】
尿道を通っての分解された結石の小片の除去は非常に痛みを伴うものであり、できるだけは内視鏡の侵入よりは洗浄による除去が好ましい。これらの結石除去方法には欠点がある。つまり常に分解されない結石の破片が残って、これが新たな結石の形成の基として働く。可動部分間のガスシール手段は一般に協働によりシールが得られるＯ−リングを含んでおり、Ｏ−リングの上下のシールサークルが２個の平坦面間に押圧されるか、または循環孔と循環シリンダー間に押圧されたＯ−リングの内側横シールサークルと外側横シールサークルの協働によるものである。
【００１１】
これらのシール手段は例えば３通りのタイプの装置に分類される。つまり第１のタイプのシール装置は孔中形成された溝中に配置されたＯ−リングからなり、そのシールは内側横シールサークルと外側横シールサークルとの協働による。第２のタイプのシール装置は循環シリンダー中に形成された溝中に配置されたＯーリングからなっている。第３のタイプのシール装置は平坦面に形成された円形溝中に配置されたＯ−リングからなっている。
【００１２】
この発明の目的は機械的衝撃波発生装置にあり、該装置は高振幅の機械的衝撃波を発生してこれが内視鏡により経皮的または尿道的に移送されて、制御された結石の小片化を可能とし、これが必要充分な寸法の少数の小片に壊されて、ピンセットによる内視鏡を通っての手動抽出を可能とし、捕捉と抽出とが視認可能となる。
【発明を実施するための最良の形態】
【００１３】
この発明の単一ブロー機械的衝撃波発生装置は機械的衝撃波３を発生する発生手段を高スピードで打撃する打撃手段２を有しており（図１Ａ、１Ｂ）、該機械的衝撃波３は機械的衝撃波移送手段４を介して分解されるべき対象に伝達される。該手段は対象と直接・間接に接触する。
【００１４】
打撃手段２は機械的衝撃波発生前に蓄積手段５に導入された高圧ガスの膨張により作動される。ガス膨張手段７と供給シール手段とにより蓄積手段は別個の超高圧ガス貯蔵器６から高圧ガスを供給される。
【００１５】
蓄積手段５に貯蔵されたガスは制御手段８の手動作動により解放され、該制御手段はまずシール手段により貯蔵器６と膨張手段７間の相互連結を気密にするとともに、蓄積手段５との連結を気密にし、ついで蓄積手段５と打撃手段２との間の相互連結を実現する。
【００１６】
打撃手段２を初期状態に戻すには、機械的衝撃波発生サイクル中に機械手段により蓄積されたエネルギーを解放する。制御手段８を初期状態に戻すには膨張手段７に残っている高圧ガスと対応する供給手段との協働による。
【００１７】
使用されるガスは蓄積手段を構成する蓄積房室内において約２０℃の作動温度において完全ガスに同化される。約１５〜３０バールの高圧作動圧力においては、その意図する利用に化学的に適合する。
【００１８】
ガスは２００バールの非常な高圧のガスシリンダーからの例えば空気または窒素である。該シリンダーは独立のガス貯蔵器を構成し、その容積は１／２〜数リットルに変動する。ガスシリンダーは可撓性のホースと圧力安全弁とを経て単一ブロー機械的衝撃波発生装置１に連結されている。
【００１９】
圧力安全弁は圧力解放手段を構成しており、例えばガスシリンダーに固定されて、２００バールからの超高圧を１５〜３０バールの高圧に低減する。
【００２０】
好ましき実施例においては、使用されるガスは例えば単一使用マイクロ容器９（図２Ａ）中に市販で入手できる炭酸ガスである。該マイクロ容器９は約７０バールの圧力において容量約２センチリットルのガス貯蔵器を構成し、その中では炭酸ガスは液状であって、小さい容積で多量の炭酸ガスの貯蔵が可能である。他のガスを使用することもできる。
【００２１】
ガスマイクロ容器９は外側直径約１８ｍｍである筒状本体１０を有しており、該本体後端１１は半球状の壁により閉鎖され、前端１２からは段部が延在している。ネック１３は筒状の横部を有しており、閉鎖カプセル１４により閉鎖されている。段部とネック１３との組合せは約１３ｍｍの長さを有しており、組合せの全長は約８０ｍｍである。
【００２２】
ガスマイクロ容器９は単一ブロー機械的衝撃波発生装置１に一体になっており、２個の半クレードルからなるクレードル１５内に収容されている。前半クレードル１６は第１の対称軸１７に沿っての回転筒状孔を有しており、その直径はガスマイクロ容器９のそれより若干大である。さらに底部には目盛付容器１８を有しており、これがガスマイクロ容器９のネック１３を収容している。
【００２３】
横部はネック１３の横部に対して第１のタイプの第１のシール装置１９を具えており、目盛付容器１８の中央部は多孔装置２０を有しており、これがカプセル１４を貫通している。後半クレードル２１はガスマイクロ容器９の半球底部のための支持装置２２を有しており、その中心は第１の対称軸１７にあり、ガイドスターアップ２４と前半クレードル１６に支持されるクランプ装置２３により後者に対して平行に滑動可能である。
【００２４】
ガイドスターアップは大きな側面開口を有しており、後半クレードル２１が後退したときに、この開口により前半クレードル１６の目盛付容器１８内にガスマイクロ容器９の前端１２が滑動可能である。支持装置２２を滑動させることのみが必要であり、半球底部１１において停止し、ついで閉鎖カプセル１４が貫通されるまでガスマイクロ容器９を多孔装置２０に押圧することにより固定される。
【００２５】
多孔装置２０はガス移送手段を有している。多孔装置２０は例えば単一使用ブタンガスシリンダーのタイプであり、ガス移送手段は中央筒状孔２５であって、マイクロ容器９からのガスの循環を可能とする。多孔装置２０は第１のダクト２６を経て単一ブロー機械的衝撃波発生装置１と一体の圧力安全装置２７に連結されて、ガス圧力安全手段７を構成している（図１Ａ、１Ｂ）。
【００２６】
安全装置は例えば後部の第１の筒状回転房室２８（図２Ａ）からなり、これから第１のダクト２６が走り、その前部は第１のタイプの第２のシール装置２９により画定された第１の円形孔を有している。第１の円形孔は第２のダクト３０内に延在しており、その中でガス供給弁の弁シャンク３１が自由に滑動する。
【００２７】
該弁は第１の房室２８内に位置する弁ヘッド３２を有しており、その直径は第１の房室２８のそれより顕著に小さい。第１の房室の下部は弁シャンク３１を囲繞する環状シール面を有している。弁ヘッド３２の上部は第１の目盛付バネ３３により押圧されて、弁ヘッド３２の環状シール面を第１のタイプの第２のシール装置２９上に押圧する。
【００２８】
弁シャンク３１の自由端は所定深さの第１の孔３４を通って滑動し、ガイドとして機能する。また第１の筒状ピストン３５のヘッド内に形成されている。第１の孔３４の底部は押圧体として機能し、弁シャンク３１を押し戻す。
【００２９】
第１のピストン３５は第２の回転筒状房室３６を通って滑動し、筒状房室を可変容積の第１と第２の空間に分割する。該空間は第１のピストン３５に固定された第２のタイプの第１のシール装置により相互にシールされている。第２のダクト３０は第２の房室３６の後部３８内に延在し、第２の房室３６の第１の空間を部分的に分割している。第２の円形孔により弁シャンク３１の自由滑動が可能となり、第２の房室３６をガス回路と連結する。
【００３０】
第２の房室３６の後部３８は第１のピストン３５の頂部のためのストッパーとして機能し、第２の房室３６の前部３９により部分的に分割される第２の空間は第２の房室３５と同軸のピストンストッパー４０を有している。これにより第１のピストン３５のストロークが制約され、第２の目盛付バネ４１のガイドとして機能する。
【００３１】
第１、第２の房室２８、３６、ガス供給弁、第１のピストン３５、第１と第２の目盛付バネ３３、４１からなるユニットはガス圧力安全手段７（図１Ａ、１Ｂ）を構成する。これにより名目上の正確な圧力が得られる。該圧力は１５〜３０バールであり、弁シャンク３１を囲繞する第２のガスダクト３０（図２Ａ）中に形成される。
【００３２】
第２のダクト３０から延在する第３のダクト４２（図２Ｂ）は横壁を通って第３の回転筒状房室４３に至り、該第３の房室の後部４４内を第２のピストン４５が滑動する。該ピストンは第２のタイプの第２のガスシール装置４６と後部４７と前部４８とを有している。第３の房室４３中の後部４４の底部は円形孔を有しており、該孔を通って第１の筒状押圧体４９が自由に通過する。
【００３３】
該押圧体４９は第２のピストン４５の後部４７に固定されており、好ましくは第３の房室４３の第２の回転対称軸５０と同軸状に配置され、制御手段８（図１Ａ、１Ｂ）の手動作動手段により励動される。第１の押圧体４９のための該手動作動手段は好ましくは第２のピストン４５を第３の房室４３内に押し込む。
【００３４】
手動手段は例えば回転軸５２に軸承されたレバー５１により構成され、第３の房室４３の回転対称軸５０に対して垂直でかつオフセットしている。かつ手動手段は回転対称軸５０を含む対称面を有しており、回転軸５２に垂直である。レバー５１の運動はストッパー５３により制約される。第２のピストン４５の前部４８は回転筒状制御ロッド５４を有しており、捕捉端部は第１のピストン４５の前部４８上に有り、自由端５５は第４の回転筒状ダクト５６を自由に通過し、かつ第３の房室４３の回転対称軸５０と同軸状である。
【００３５】
第３の房室４３の前部５７の底部から延在する第４のダクト５６は同軸傾斜回転面により係合され、該回転面は中立化された第２のタイプの第３シール装置５８のためのガイドとして機能し、かつ第４のダクト５６へのガスの流入を可能とする。例えば第２のピストン４５は第３の房室４３の後部４４の底部に当接し、第１の押圧体４９がレバー５１により励動されたとき、第４のダクト５６内に貫通し、第３の房室４３の前部５７のガスシールを確実にする。
【００３６】
制御ロッド５４は延在して、その自由端５５は第３の房室４３の本体に固定された第２の孔５９を貫通する。第２の孔５９内で制御ロッド５４の自由端５５は第２のタイプの第４のシール装置６０を有している。第２のピストン４５のストロークは後退位置においては第３の房室４３の後部４４の底部上の後部４７のストッパーにより制約され、前進位置においては第２の孔５９の底部６１上の制御ロッド５４の自由端５５のストッパーにより制約される。第２のピストン４５の前進位置においては、第２のタイプの第３のシール装置５８は第４のダクト５６を閉鎖する。
【００３７】
第５のダクト６２（図２Ｂ）は、第２のタイプの第４のシール装置５８の位置の下流側で第４のダクト５６に連なる入口孔を有しており、第４の房室６４の後部に連なる出口孔を有している。該房室は高圧ガス蓄積手段であって、好ましくは第２のステージ５９のそれと合致する対称軸上の回転筒状である。この第４の房室は弁本体６６を具えた吐出弁６５を有しており、第４の房室６４と同軸状、回転筒状、管状で、直径が第４の房室６４の約１／３である。
【００３８】
さらに吐出弁の弁ヘッド６７は平坦な後部と傾斜回転前部１２２とを有しており、その直径は連結している弁本体のそれの２倍である。さらに吐出弁は第３の孔６９を通って滑動する弁本体ベース６８を有している。その直径は弁本体６６のそれと同じオーダーであり、第１のタイプの第３のシール装置７０を有しており、これが弁本体ベース６８と協働する。
【００３９】
第４の房室６４の前部７１上方の底部には第３の孔６９が形成されており、第５の房室７２に連通している。該房室は膨張房室である。弁ヘッド６７の後面は第１の渦巻きバネ７３により第４の房室６４の後部６３の底部に押圧されている。該バネは第４の房室６４の前部７１の底部に支持されている。円形である弁ヘッド６７の後面はその縁部近くに環状シーリング領域を有しており、これが第４の房室６４の後部６３の底部に固定された第３のタイプの第１のシール装置７４と協働する。
【００４０】
弁６６の筒状内部空間は第６のダクト７５を構成しており、弁ヘッド６７の後面における該ダクトの入口孔は発散状でかつ実質的に傾斜している。弁ヘッド６７の中央部分は第２の筒状押圧体７６を有しており、これは第２の孔５９と同軸状であって、かつ自由端７７とスペーサー７８により弁ヘッド６７の後側に連結された固定端とを有しており、第６のダクト７５の発散状孔と一体である。かつ第４の回転孔７９内を滑動する。該回転孔は第４の房室６４の後部６３の底部を第２の孔５９の底部と連結している。
【００４１】
第４の孔７９に固定された第１のタイプの第４のシール装置８０は第２の孔５９と第６のダクト７５との間のシールを確実にする。第２の押圧体７６の直径は第２の孔５９のそれよりかなり小さい。またその全長は、弁ヘッド６７が第３のタイプの第１のシール装置７４と協働して第６のダクト７５を第４の房室６４から離間させるとき、第２の押圧体７６の自由端７７が第２の孔５９の底部に入る程度である。
【００４２】
第２のピストン４５が前進位置にあるとき、制御ロッド５４の自由端５５は第２の押圧体７６の自由端７７を押圧し、これにより弁ヘッド６７を押し戻して第１の渦巻きバネ７３を圧縮することにより第４の房室６４の後部６３の底部から分離させる。したがって第６のダクト７５の開口部を解放する。第４の房室６４は第６のダクト７５を介して第５の房室７２と連通している。
【００４３】
第５の房室７２は回転筒形状であって、その後部８１には第６のダクト７５が開口している。その前部８２からは第５の回転筒状孔８３が始まっている。第５の孔８３は好ましくは第５の房室７２の対称軸と同軸状である。第５の房室７２の直径は弁本体ベース６８のそれより若干大であり、長さはそれより非常に小さい。
【００４４】
第５の孔８３（図２Ｃ）は第６の回転筒状房室８４に連通しており、その回転筒状房室は第５の孔８３と同軸であり、その直径は弁本体ベース６８のそれに等しく、その長さは第４の房室６４のそれの２倍である。第５の孔８３は直径が若干大きな減圧領域８５を有しており、かつ第６の房室８４に連通している。その長さは第５の孔８３の長さのそれの１／３である。
【００４５】
第６の房室８４の後部８６には第５の孔８３が連通している。また該後部からは少なくとも１個の第７のダクト８７が始まっている。該ダクト８７は直接にまたは逆止弁８８を介して大気中に開口している。第６の房室８４の前部８９の底部には第７の回転筒状房室が連通している。また第６の房室９０（図２Ｃ、２Ｄ）と同軸状であり、第６の回転筒状孔９１を介して第６の房室８４と連通している。その直径は第５の孔８３のそれより非常に大きく、第６の房室９０のそれより小さい。
【００４６】
第５の孔８３（図２Ｃ）はガイドおよび打撃ハンマー９２のための駆動装置として機能し、打撃手段を構成している。打撃ハンマー９２は薄いハンマー本体９３からなり、その直径はそれが配置されている第６の房室のそれより若干小さい。その後面は第６の房室８４の後部８６を指向している。また前面は第６の房室８４の前部８９を指向している。
【００４７】
第５の孔８３と同軸状の第３の回転筒状ピストン９４はハンマー本体９３の後面に固定され、第５の孔８３を通って滑動する。第３のピストン９４の直径は第５の孔８３のそれより若干小さく、これにより充分なシールを得てガスによる推進を可能としている。第３のピストン９４と同軸状の回転筒状打撃ヘッド９５はハンマー本体９３の前面に固定されている。打撃ヘッド９５の直径は第３のピストン９４のそれより非常に大きく、長さは第３のピストン９４のそれの約１／４である。
【００４８】
第６の房室８４の前部８９およびハンマー本体９３に支持された第２の渦巻きバネ９６はハンマー本体を第６の房室８４の後部８６の底部に押圧する。したがって第３のピストン９４は第５の孔８３中に押されている。第７の房室９０（図２Ｄ）の後部９７は第６の孔９１を介して第６の房室８４に連通しており、その前部９８の底部は第７の房室９０と同軸状の第７の回転筒状孔９９を有している。その直径は第５の孔８３と等しく、これにより第７の房室９０は第８の房室１０１の後部１００と連通している。
【００４９】
第７の房室９０は機械的衝撃波発生インターフェイス装置１０２を有しており、その回転筒状インターフェイス装置本体１０３は第７の房室９０内を滑動可能であり、かつ第２のタイプの第５のシール装置１０４を有している。該シール装置は第７の房室９０の前部９８を後部９７から離間させている。インターフェイス装置本体１０３は第７の房室９０の後部９７を指向する後面を有しており、その前面は第７の房室９０の前部９８を指向している。
【００５０】
インターフェイス装置本体１０３の後面は打撃アンビル１０５を有しており、その直径は打撃ヘッド９５のそれと等しく、インターフェイス装置本体１０３の長さを含めたその長さは打撃ヘッド９５とハンマー本体９３の長さの和に実質的に等しい。第６の孔９１の長さは、打撃アンビル１０５の自由端１０６が第６の房室８４の前部８９の底部から突出し、また打撃アンビル１０５の自由端１０６を打撃ヘッド９５の自由端１０７から離間させる距離１０８（図２Ｃ）が第５の孔８３内において行程の最後において第３のピストン９４のための残留ガイド効果を確実とする充分な量を減じたときに第３のピストン９４の長さと同じオーダーとなるように、決定される。
【００５１】
インターフェイス装置本体１０３の前面は第１の機械的衝撃波移送装置１０９を有しており、該装置は回転筒状であってかつ第７の房室９０と同軸状である。その直径は第３のピストン９４のそれと実質的に等しく、その長さは打撃アンビル１０５のそれと実質的に等しい。第７の孔９９の長さは機械的衝撃波発生インターフェイス装置１０２のガイドを確実にするのに充分なものでなければならない。しかし該長さは第８の房室１０１の後部１０６の底部内への第１の機械的衝撃波移送装置１０９の突出を許容するものでなければならない。
【００５２】
第３の渦巻きバネ１１０は第７の房室９０の後部９７の底部により支持されるとともに、インターフェイス装置本体１０３の後部により支持されて、後者を第１のドーナッツ状の緩衝装置１１１に押圧している。緩衝装置はインターフェイス装置本体１０３の前部の縁部により支持され、かつ第１の機械的衝撃波移送装置１０９を囲繞している。また第７の房室９０の前部９８の底部により支持されている。
【００５３】
第８の房室１０１の前部１１２は第８の房室１０１と同軸状の第８の回転筒状孔１１３を有しており、その直径は第３のピストン９４のそれの約１／２であり、該ピストン９４は外部と相互連通している。第８の房室１０１は第２の回転筒状機械的衝撃波ガイド装置１１４の機械的衝撃波ガイドヘッド１１５を有しており、その直径は第８の房室１０１のそれより若干小さい。その後面１１６は平坦であり、その前面１１７は実質的に平坦であってその中央に垂直に固定された機械的衝撃波ガイドロッド１１８を有している。該ロッドは第８の孔１１３を貫通し、第２の機械的衝撃波ガイド装置１１４の機械的衝撃波ガイドヘッド１１５のガイドとして機能する。
【００５４】
単一ブロー機械的衝撃波発生装置１（図１Ａ、１Ｂ）が作動状態にあるとき、機械的衝撃波ガイドヘッド１１５の後部１１６は第１の機械的衝撃波移送装置１０９の自由端１１９に当接し、機械的衝撃波ガイドウエーブ１１５の前部１１７は第２のドーナツ状の緩衝装置１２０と当接して支持される。該緩衝装置は機械的衝撃波ガイドロッド１１８のベースを囲繞し、第８の房室１０１の前部１１２の底部上にあり、機械的衝撃波ガイドヘッド１１５の前面１１７上にもある。
【００５５】
機械的衝撃波移送装置１０９の突出距離と第８の房室１０１の長さとはつぎの要求に合致するように決定される。第１の機械的衝撃波移送装置１０９の自由端１１９が第８の房室１０１中の第２の機械的衝撃波移送装置１１４上に支持されるときに、インターフェイス装置１０２が第７の房室９０の後部９７の方に若干押され、第３の渦巻きバネ１１０が若干圧縮される。
【００５６】
機械的衝撃波ガイドロッド１１８の長さと直径は一般に実施状態により決ってくる。機械的衝撃波の最大効率は、打撃ハンマー９２（図２Ｃ）の重量が第２の機械的衝撃波移送装置１１４の重量に等しいときに、得られる。インピーダンス調節は、一方では機械的衝撃波ガイドヘッド１１５（図２Ｄ）の直径に手を加えることにより、他方では第３のピストン９４の長さにできる限り手を加えることにより行われるが、これに作動上の要求を加味する。
【００５７】
第２のダクト３０（図１Ｂ）内のガス圧力が正常より低いときには、第２の目盛付バネ４１が第１のピストン３５を第２の房室３６の後部３８の方に押し戻す。弁シャンク３１は第１のピストン３５のヘッドの第１の孔３４中に孔底に当接するまで貫通する。これにより供給弁ヘッド３２は押し戻されて、第１の目盛付バネ３３を圧縮するとともに、ガスマイクロ容器９からガス流を解放する。
【００５８】
第２のダクト３０（図１Ｃ）内のガス圧力が再び上がると、第１のピストン３５が押し入れられ、これにより第２の渦巻きバネ４１を圧縮する。弁ヘッド３２は第１の目盛付バネ３３の働きにより戻って第１のタイプの第２のシール装置２９に当接支持される。弁シャンク３１は第１の孔３４の底部と緩く接触する。ガス膨張が断熱的な場合には、膨張したガスは周辺温度より冷たく、その再加熱はその圧力を増加する。これは第１のピストン３５のさらなる後戻りにより制約され、これによりピストンストッパー４０に接触するまで第２の目盛付バネ４１を圧縮する。
【００５９】
第２のダクト３０（図１Ｂ、２Ａ）に注入されたガスは第３のダクト４２内に流れ込み、そこから第３の房室４３に流れ込んで、第２のピストンがまだ接触していなければ第３の房室４３の後部４４上のストッパーに対して第２のピストン４５を押し戻す。第２のタイプの第３のシール装置５８はついで第３の房室４３内に位置して、該房室はガスを第４のダクト５６内に流し込み、ついで第４の房室６４に到達するように第５のダクト６２内に流し込む。該房室はそれ自身高圧ガスを充填される。ガスの圧力は１５〜３０バールである。
【００６０】
弁ヘッド６７は今や一方では第１の渦巻きバネ７３により他方では高圧ガスにより第３のタイプの第１のシール装置７４に押圧される。第４の房室６４内が正常な圧力に達すると、機械的衝撃波発生装置は作動の準備が整う。機械的衝撃波発生はレバー５１（図１Ｃ、２Ｂ）の作動により始まる。該レバーは第１の押圧体４９中で押圧し、該押圧体は第２のピストン４５を第３の房室４３中に押し込む。制御ロッド５４は、第２のタイプの第３のシール装置５８が第４のダクト５６を貫通して該ダクトを遮断して第４の房室６４が高圧ガス供給から離間されるまで、第３の房室４３中で動く。
【００６１】
ついで第１の押圧体４９が押圧され続けると、第２の押圧体７６の自由端７７を押すまで制御ロッド５４の自由端５５が第２の孔５９に進入し、該押圧体が弁ヘッド６７を第３のタイプの第１のシール装置７４からの離間と第１の渦巻きバネ７３の圧縮を引き起こす。ついでガスが第６のダクト７５および第５の房室７２に流入し、第２の渦巻きバネ９６の作用により当初第５の孔８３中に押し入れられていた第３のピストン９４（図１Ｃ、２Ｃ）を激しく押し戻す。
【００６２】
ついで打撃ハンマー９２が高速で第６の房室８４中に駆動され、これにより第２の渦巻きバネ９６を圧縮する。打撃ヘッド９５がインターフェイス装置１０２の打撃アンビル１０５（図１Ｄ、２Ｄ）を打撃し、該インターフェイス装置は機械的衝撃波を発生する。該機械的衝撃波はインターフェイス装置本体１０３中で連続増加し、ついで第１の機械的衝撃波移送装置１０９内に入る。ついで機械的衝撃波は機械的衝撃波ガイドヘッド１１５の後部１１６に移送され、機械的衝撃波ガイドロッド１１８内でさらにそれ自身増加し、分解されるべき対象に至る。
【００６３】
第５の孔８３内における第３のピストン９４の運動の終りにおいて、減圧領域８５が徐々に露出されて、ガスは第６の房室８４の後部８６内に逃げ、逆止弁８８（あれば）と第７のダクト８７を経て外部に排出される。第２のタイプの第３のシール装置５８の下流側の圧力が外気と実質的に等しくなり、ついで第２の渦巻きバネ９６が打撃ハンマー９２と第３のピストン９４とを第５の孔８３中に押し戻す。
【００６４】
第１の渦巻きバネ７３が排出弁６５を第４の房室６４の後部６３（図１Ｂ、２Ｂ）の底部内に押し戻し、レバー５１への作用の解放により第２の押圧体７６が当初の位置を占めることができるときに、第３のタイプの第１のシール装置７４により当初のシールを回復する。第３の房室４３内の高いガス圧力の効果の下に、これにより第２のピストン４５を第３の房室４３の後部４４の方への変位が可能となる。
【００６５】
第２のピストン４５が変位すると、第２のタイプの第３のシール装置５８が第４のダクト５６から脱出するまで、制御ロッド５４の運動が引き起こされる。これにより第４の房室６４へのガスの供給が可能となる。第３の房室４３内の圧力降下は第３、２のダクト４３、３０内の圧力降下を引き起こす。これにより前記のガス供給サイクルが開始される。
【００６６】
この発明の好ましき実施例にあっては、第３の房室４３（図２Ｂ）は第２の目盛付排出弁１２１により外部に連通されている。これにより膨張後のガス再加熱に伴う過圧または弁ヘッド３２（図１Ａ）および第１のタイプの第１のシール装置１９における漏出が回避される。
【００６７】
尿道結石の分解のための単一ブロー機械的衝撃波発生装置１は第４の房室６４を有しており、その容積は好ましくは１〜３ｃｍ3である。また打撃ハンマーの重量は約１０ｇである。
【００６８】
好ましき実施例にあっては、尿道結石分解への応用とは別に、連続的な機械的衝撃波列を発生する必要がある。この目的のために、レバー５１と第１の押圧体４９との間に連続機械的衝撃波誘発装置が介在される。この誘発装置はレバー５１の作動により励動される。これにより例えば第１の押圧体４９の連続作動により所定の数とペースで数個の連続機械的衝撃波の発生が開始される。これにはレバー５１を解放する必要はない。
（チェック不要）
【産業上の利用可能性】
【００６９】
この発明は尿道結石の分解など機械的衝撃波の使用を必要とする種々の産業分野において利用されるものである。
【図面の簡単な説明】
【００７０】
【図１Ａ】この発明の装置の一実施例の縦面図である。
【図１Ｂ】この発明の装置の一実施例の作動状態での模型図である。
【図１Ｃ】作動サイクル開始後の図１Ａの断面模型図である。
【図１Ｄ】機械的衝撃波発生時における図１Ｃの詳細図である。
【図２Ａ】図１Ｂの詳細を示す。
【図２Ｂ】図１Ｂの詳細を示す。
【図２Ｃ】図１Ｂの詳細を示す。
【図２Ｄ】図１Ｂの詳細を示す。
【符号の説明】
【００７１】
１：  機械的衝撃波発生装置
２：  打撃手段
３：  機械的衝撃波
４：  移送手段
５：  蓄積手段
６：  ガス貯蔵器
７：  膨張手段
８：  制御手段
９：  マイクロ容器
１９、２９：  シール装置
【図１Ａ】
0004509102.tif 000002
【図１Ｂ】
0004509102.tif 000003
【図１Ｃ】
0004509102.tif 000004
【図１Ｄ】
0004509102.tif 000005
【図２Ａ】
0004509102.tif 000006
【図２Ｂ】
0004509102.tif 000007
【図２Ｃ】
0004509102.tif 000008
【図２Ｄ】
0004509102.tif 000009